(57)【要約】【課題】複数の集合場所候補（例えば、会議室、カラオケ店など）の中から参加者全員が集合するまでに要する時間が最短になる集合場所を選択する。【解決手段】ルート探索手段２は、複数の集合場所候補それぞれについて、各参加者毎に、その参加者の現在位置から集合場所候補までのルートであって、所要時間が最短となる最短ルートを探索する。集合場所決定手段３は、ルート探索手段２で求めた各参加者毎の各集合場所候補までの最短ルートに基づいて、上記複数の集合場所候補の内、最も所要時間の長い参加者の所要時間が最も短い集合場所候補を集合場所と決定する。【選択図】図１
2009097998.tif 000002
【特許請求の範囲】
【請求項１】
複数の集合場所候補のそれぞれについて、各参加者毎に、その参加者の現在位置から集合場所候補までのルートであって、所要時間が最短となる最短ルートを探索するルート探索手段と、
該ルート探索手段で求めた各参加者毎の各集合場所候補への最短ルートに基づいて、前記複数の集合場所候補の内、最も所要時間の長い参加者の所要時間が最も短い集合場所候補を集合場所と決定する集合場所決定手段とを備えたことを特徴とする集合支援装置。
【請求項２】
請求項１記載の集合支援装置において、
複数の集合場所それぞれについて、その集合場所の位置情報を含む集合場所情報が登録された集合場所情報記憶部を備え、且つ、
前記ルート探索手段が、前記集合場所情報記憶部に登録されている集合場所情報によって特定される集合場所を、前記集合場所候補とすることを特徴とする集合支援装置。
【請求項３】
請求項１記載の集合支援装置において、
複数の集合場所それぞれについて、その集合場所の位置情報を含む集合場所情報が登録された集合場所情報記憶部と、
前記各参加者の現在位置に基づいて、前記集合場所情報記憶部に集合場所情報が登録されている集合場所の中から、集合場所候補とする集合場所を選択する集合場所候補選択手段とを備え、且つ、
前記ルート探索手段が、前記集合場所候補選択手段で選択された集合場所を前記集合場所候補とすることを特徴とする集合支援装置。
【請求項４】
請求項２または３記載の集合支援装置において、
前記位置情報が、最寄り駅であり、且つ、
前記ルート探索手段が、参加者の現在位置から集合場所候補までの最短ルートとして、前記参加者の最寄り駅から前記集合場所候補の最寄り駅までのルートであって、所要時間が最短となるルートを探索することを特徴とする集合支援装置。
【請求項５】
請求項４記載の集合支援装置において、
前記ルート探索手段が、集合場所候補に複数の最寄り駅が存在する場合は、参加者の現在位置から集合場所候補までの最短ルートとして、前記参加者の最寄り駅から前記集合場所候補の各最寄り駅までのルートの内、所要時間が最短となるルートを探索することを特徴とする集合支援装置。
【請求項６】
請求項５記載の集合支援装置において、
前記集合場所情報が、更に、当該集合場所の最寄り駅から当該集合場所までの徒歩時間を含み、且つ、
前記ルート探索手段が、徒歩時間を含めて参加者の現在位置から集合場所候補までの所要時間が最短となるルートを探索することを特徴とする集合支援装置。
【請求項７】
請求項３記載の集合支援装置において、
前記集合場所候補選択手段が、
前記各参加者の現在位置からの距離の最大値が最小になる基準ポイントを探索し、前記集合場所情報記憶部に集合場所の最寄り駅として登録されている駅の内、前記基準ポイントに近い方から所定個数の駅を選択し、該選択した駅を最寄り駅とする集合場所を前記集合場所候補とすることを特徴とする集合支援装置。
【請求項８】
集合支援サーバ装置と、複数の参加者それぞれの携帯端末装置とを含む集合支援システムであって、
前記携帯端末装置が、
自装置の現在位置を検出する位置検出手段と、
該位置検出手段で検出された現在位置を前記集合支援サーバ装置へ送信する制御手段とを備え、
前記集合支援サーバ装置が、
複数の集合場所候補のそれぞれについて、前記各参加者毎に、その参加者の携帯端末装置によって送られてきた現在位置から集合場所候補までのルートであって、所要時間が最短となる最短ルートを探索するルート探索手段と、
該ルート探索手段で求めた各参加者毎の各集合場所候補への最短ルートに基づいて、前記複数の集合場所候補の内、最も所要時間の長い参加者の所要時間が最も短い集合場所候補を集合場所と決定する集合場所決定手段とを備えたことを特徴とする集合支援システム。
【請求項９】
請求項８記載の集合支援システムにおいて、
前記集合支援サーバ装置が、
複数の集合場所それぞれについて、その集合場所の位置情報を含む集合場所情報が登録された集合場所情報記憶部と、
前記各参加者の現在位置に基づいて、前記集合場所情報記憶部に集合場所情報が登録されている集合場所の中から、集合場所候補とする集合場所を選択する集合場所候補選択手段とを備え、且つ、
前記ルート探索手段が、前記集合場所候補選択手段で選択された集合場所を前記集合場所候補とすることを特徴とする集合支援システム。
【請求項１０】
請求項８記載の集合支援システムにおいて、
前記集合支援サーバ装置が、
複数の集合場所それぞれについて、その集合場所の位置情報として最寄り駅を含んだ集合場所情報が登録された集合場所情報記憶部を備え、且つ、
前記ルート探索手段が、集合場所候補に複数の最寄り駅が存在する場合は、参加者の現在位置から集合場所候補までの最短ルートとして、前記参加者の最寄り駅から前記集合場所候補の各最寄り駅までのルートの内、所要時間が最短となるルートを探索することを特徴とする集合支援システム。
【請求項１１】
複数の集合場所候補のそれぞれについて、各参加者毎に、その参加者の携帯端末装置によって送られてきた現在位置から集合場所候補までのルートであって、所要時間が最短となる最短ルートを探索するルート探索手段と、
該ルート探索手段で求めた各参加者毎の各集合場所候補までの最短ルートに基づいて、前記複数の集合場所候補の内、最も所要時間の長い参加者の所要時間が最も短い集合場所候補を集合場所と決定する集合場所決定手段とを備えたことを特徴とする集合支援サーバ装置。
【請求項１２】
請求項１１記載の集合支援サーバ装置において、
複数の集合場所それぞれについて、その集合場所の位置情報を含む集合場所情報が登録された集合場所情報記憶部と、
前記各参加者の現在位置に基づいて、前記集合場所情報記憶部に集合場所情報が登録されている集合場所の中から、集合場所候補とする集合場所を選択する集合場所候補選択手段とを備え、且つ、
前記ルート探索手段が、前記集合場所候補選択手段で選択された集合場所を前記集合場所候補とすることを特徴とする集合支援サーバ装置。
【請求項１３】
請求項１１記載の集合支援サーバ装置において、
複数の集合場所それぞれについて、その集合場所の位置情報として最寄り駅を含んだ集合場所情報が登録された集合場所情報記憶部を備え、且つ、
前記ルート探索手段が、集合場所候補に複数の最寄り駅が存在する場合は、参加者の現在位置から集合場所候補までの最短ルートとして、前記参加者の最寄り駅から前記集合場所候補の各最寄り駅までのルートの内、所要時間が最短となるルートを探索することを特徴とする集合支援サーバ装置。
【請求項１４】
コンピュータが、複数の集合場所候補のそれぞれについて、各参加者毎に、その参加者の現在位置から集合場所候補までのルートであって、所要時間が最短となる最短ルートを探索するルート探索ステップと、
前記コンピュータが、前記ルート探索ステップで求めた各参加者毎の各集合場所候補までの最短ルートに基づいて、前記複数の集合場所候補の内、最も所要時間の長い参加者の所要時間が最も短い集合場所候補を集合場所と決定する集合場所決定ステップとを含むことを特徴とする集合支援方法。
【請求項１５】
請求項１４記載の集合支援方法において、
前記コンピュータが、複数の集合場所それぞれについて、その集合場所の位置情報を含んだ集合場所情報が登録された集合場所情報記憶部を備え、且つ、
前記コンピュータが、前記各参加者の現在位置に基づいて、前記集合場所情報記憶部に集合場所情報が登録されている集合場所の中から、集合場所候補とする集合場所を選択する集合場所候補選択ステップを含み、
前記ルート探索ステップでは、前記集合場所候補選択ステップで選択された集合場所を前記集合場所候補とすることを特徴とする集合支援方法。
【請求項１６】
請求項１４記載の集合支援方法において、
前記コンピュータが、複数の集合場所それぞれについて、その集合場所の位置情報として最寄り駅を含んだ集合場所情報が登録された集合場所情報記憶部を備え、且つ、
前記ルート探索ステップでは、集合場所候補に複数の最寄り駅が存在する場合は、参加者の現在位置から集合場所候補までの最短ルートとして、前記参加者の最寄り駅から前記集合場所候補の各最寄り駅までのルートの内、所要時間が最短となる最短ルートを探索することを特徴とする集合支援方法。
【請求項１７】
コンピュータを、
複数の集合場所候補のそれぞれについて、各参加者毎に、その参加者の現在位置から集合場所候補までのルートであって、所要時間が最短となる最短ルートを探索するルート探索手段、
該ルート探索手段で求めた各参加者毎の各集合場所候補への最短ルートに基づいて、前記複数の集合場所候補の内、最も所要時間の長い参加者の所要時間が最も短い集合場所候補を集合場所と決定する集合場所決定手段として機能させるためのプログラム。
【請求項１８】
請求項１７記載のプログラムにおいて、
前記コンピュータが、複数の集合場所それぞれについて、その集合場所の位置情報を含む集合場所情報が登録された集合場所情報記憶部を備え、且つ、
前記コンピュータを、
前記各参加者の現在位置に基づいて、前記集合場所情報記憶部に集合場所情報が登録されている集合場所の中から、集合場所候補とする集合場所を選択する集合場所候補選択手段として機能させ、
前記ルート探索手段が、前記集合場所候補選択手段で選択された集合場所を集合場所候補とすることを特徴とすることを特徴とするプログラム。
【請求項１９】
請求項１７記載のプログラムにおいて、
前記コンピュータが、複数の集合場所それぞれについて、その集合場所の位置情報として最寄り駅を含んだ集合場所情報が登録された集合場所情報記憶部を備え、且つ、
前記ルート探索手段が、集合場所候補に複数の最寄り駅が存在する場合は、参加者の現在位置から集合場所候補までの最短ルートとして、前記参加者の最寄り駅から前記集合場所候補の各最寄り駅までのルートの内、所要時間が最短となるルートを探索することを特徴とするプログラム。
【発明の詳細な説明】
【技術分野】
【０００１】
本発明は、複数の集合場所候補の中から集合場所を選択する集合支援技術に関し、特に、参加者全員が集合するまでに要する時間を短くすることが可能な集合場所を選択する集合支援技術に関する。
【背景技術】
【０００２】
様々な状況において、複数の集合場所候補の中から集合場所を選択することが必要になる場合がある。例えば、各事業所の担当者による会議を開催することが必要になった場合には、複数の会議室（例えば、各事業所の会議室）の中から利用する会議室を選択する必要がある。また、例えば、友人同士でカラオケ店に行く場合には、複数のカラオケ店の中から実際に利用するカラオケ店を選択する必要がある。このような場合、一般的には、参加者同士が電話やメール等によるやり取りを行い、利用する会議室やカラオケ店などを選択するようにしている。しかし、この方法では、参加者同士で何回もやり取りを行う必要があるため、集合場所を決定するまでに多くの時間を要するという問題がある。
【０００３】
一方、各参加者の現在位置に基づいて集合場所を決定するようにした技術も従来から知られている（例えば、特許文献１参照）。特許文献１では、コミュニケーションサーバ装置が、コンテキスト管理サーバ装置において管理されている各参加者の現在位置に基づいて、各参加者からの物理的な距離や所要時間などが均等となる点を求め、これを集合場所の中心点とするようにしている。また、特許文献１では、各参加者が予め定められた集合時刻までに集合場所に集合できるか否かを調べるために、各参加者毎に、参加者の最寄り駅から集合場所の最寄り駅までの所要時間を求めるようにしている。
【０００４】
【特許文献１】特開２００６−７２８１２号公報
【発明の開示】
【発明が解決しようとする課題】
【０００５】
上述した特許文献１に記載されている技術によれば、各参加者の現在位置に基づいて集合場所を決定するようにしているため、集合場所を短時間で決定することができる。しかしながら、特許文献１に記載されている技術は、各参加者からの物理的な距離や所要時間などが均等になる点を集合場所とするようにしているだけであるため、複数の集合場所候補の中から集合場所を選択するという用途には利用できない。
【０００６】
〔発明の目的〕
そこで、本発明の目的は、複数の集合場所候補の中から、参加者全員が最短時間で集合することができる集合場所を自動的に選択する集合支援装置を提供することにある。
【課題を解決するための手段】
【０００７】
本発明にかかる第１の集合支援装置は、
複数の集合場所候補のそれぞれについて、各参加者毎に、その参加者の現在位置から集合場所候補までのルートであって、所要時間が最短となる最短ルートを探索するルート探索手段と、
該ルート探索手段で求めた各参加者毎の各集合場所候補への最短ルートに基づいて、前記複数の集合場所候補の内、最も所要時間の長い参加者の所要時間が最も短い集合場所候補を集合場所と決定する集合場所決定手段とを備えたことを特徴とする。
【０００８】
本発明にかかる第１の集合支援システムは、
集合支援サーバ装置と、複数の参加者それぞれの携帯端末装置とを含む集合支援システムであって、
前記携帯端末装置が、
自装置の現在位置を検出する位置検出手段と、
該位置検出手段で検出された現在位置を前記集合支援サーバ装置へ送信する制御手段とを備え、
前記集合支援サーバ装置が、
複数の集合場所候補のそれぞれについて、前記各参加者毎に、その参加者の携帯端末装置によって送られてきた現在位置から集合場所候補までのルートであって、所要時間が最短となる最短ルートを探索するルート探索手段と、
該ルート探索手段で求めた各参加者毎の各集合場所候補への最短ルートに基づいて、前記複数の集合場所候補の内、最も所要時間の長い参加者の所要時間が最も短い集合場所候補を集合場所と決定する集合場所決定手段とを備えたことを特徴とする。
【０００９】
本発明にかかる第１の集合支援サーバ装置は、
複数の集合場所候補のそれぞれについて、各参加者毎に、その参加者の携帯端末装置によって送られてきた現在位置から集合場所候補までのルートであって、所要時間が最短となる最短ルートを探索するルート探索手段と、
該ルート探索手段で求めた各参加者毎の各集合場所候補までの最短ルートに基づいて、前記複数の集合場所候補の内、最も所要時間の長い参加者の所要時間が最も短い集合場所候補を集合場所と決定する集合場所決定手段とを備えたことを特徴とする。
【００１０】
本発明にかかる第１の集合支援方法は、
コンピュータが、複数の集合場所候補のそれぞれについて、各参加者毎に、その参加者の現在位置から集合場所候補までのルートであって、所要時間が最短となる最短ルートを探索するルート探索ステップと、
前記コンピュータが、前記ルート探索ステップで求めた各参加者毎の各集合場所候補までの最短ルートに基づいて、前記複数の集合場所候補の内、最も所要時間の長い参加者の所要時間が最も短い集合場所候補を集合場所と決定する集合場所決定ステップとを含むことを特徴とする。
【００１１】
本発明にかかる第１のプログラムは、
コンピュータを、
複数の集合場所候補のそれぞれについて、各参加者毎に、その参加者の現在位置から集合場所候補までのルートであって、所要時間が最短となる最短ルートを探索するルート探索手段、
該ルート探索手段で求めた各参加者毎の各集合場所候補への最短ルートに基づいて、前記複数の集合場所候補の内、最も所要時間の長い参加者の所要時間が最も短い集合場所候補を集合場所と決定する集合場所決定手段として機能させる。
【発明の効果】
【００１２】
本発明によれば、複数の集合場所候補の中から、参加者全員が集合するまでの時間が最短な集合場所を選択することが可能になる。
【発明を実施するための最良の形態】
【００１３】
次に、本発明を実施するための最良の形態について図面を参照して詳細に説明する。
【００１４】
〔本発明の第１の実施例〕
図１を参照すると、本発明の第１の実施例にかかる集合支援装置１は、ルート探索手段２と、集合場所決定手段３とを備えている。
【００１５】
ルート探索手段２は、複数の集合場所候補それぞれについて、各参加者毎に、その参加者の現在位置から集合場所候補までのルートであって、所要時間が最短となる最短ルートを探索する。
【００１６】
集合場所決定手段３は、ルート探索手段２で求めた各参加者の各集合場所候補への最短ルートに基づいて、上記複数の集合場所候補の内、最も所要時間の長い参加者の所要時間が最も短い集合場所候補を集合場所と決定する。
【００１７】
今、例えば、各参加者４−１〜４−３の現在位置５−１〜５−３と複数の集合場所候補６−１、６−２との位置関係が図２に示すものであるとすると、次のような処理が行われる。
【００１８】
先ず、ルート探索手段２が、参加者４−１〜４−３毎に、その現在位置５−１〜５−３から集合場所候補６−１までの最短ルートＲ１１、Ｒ２１、Ｒ３１を探索する。各ルートＲ１１、Ｒ２１、Ｒ３１による所要時間Ｔ１１、Ｔ２１、Ｔ３１が、Ｔ１１＜Ｔ２１＜Ｔ３１であり、最も長い所要時間Ｔ３１が３０分であったとする。
【００１９】
その後、ルート探索手段２は、参加者４−１〜４−３毎に、その現在位置５−１〜５−３から集合場所候補６−２までの最短ルートＲ１２、Ｒ２２、Ｒ３２を探索する。各ルートＲ１２、Ｒ２２、Ｒ３２による所要時間Ｔ１２、Ｔ２２、Ｔ３２が、Ｔ１２＜Ｔ２２＜Ｔ３２であり、最も長い所要時間Ｔ３２が４０分であったとする。
【００２０】
その後、集合場所決定手段３が、ルート探索手段２で求めた各参加者４−１〜４−３毎の各集合場所候補６−１、６−２までの最短ルートに基づいて、上記複数の集合場所候補６−１、６−２の内、最も所要時間の長い参加者の所要時間が最も短い集合場所候補を集合場所と決定する。この例の場合、集合場所候補６−１、６−２それぞれに対する最も長い所要時間はＴ３１＝３０（分）、Ｔ３２＝４０（分）であるので、集合場所決定手段３は、集合場所候補６−１を集合場所と決定することになる。
【００２１】
なお、集合支援装置１は、コンピュータにより実現可能であり、コンピュータにより実現する場合は、例えば、次のようにする。コンピュータを集合支援装置１として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、ルート探索手段２及び集合場所決定手段３を実現する。
【００２２】
〔第１の実施例の効果〕
このように、第１の実施例によれば、複数の集合場所候補６−１、６−２の中から、参加者４−１〜４−３全員が集合するまでの所要時間を最短にすることができる集合場所６−１を選択することが可能になる。その理由は、複数の集合場所候補６−１、６−２の内、最も所要時間の長い参加者の所要時間が最も短い集合場所候補を集合場所と決定する集合場所決定手段３を備えているからである。
【００２３】
〔本発明の第２の実施例〕
次に、本発明の第２の実施例にかかる集合支援システムについて説明する。図３を参照すると、本実施例の集合支援システムは、集合支援サーバ装置１０と、記憶装置２０と、無線基地局３０と、ネットワーク４０と、各ユーザＵ１〜Ｕｎの携帯端末装置５０−１〜５０−ｎとを含んでいる。
【００２４】
携帯端末装置５０−１〜５０−ｎは、携帯電話機などによって実現されるものであり、自装置の現在位置を示す位置情報を集合支援サーバ装置１０へ送信する機能などを有している。
【００２５】
図４は携帯端末装置５０−１の構成例を示すブロック図であり、送受信手段５１と、制御手段５２と、位置検出手段５３と、テンキー等の入力部５４と、ＬＣＤ等の表示部５５とを備えている。なお、他の携帯端末装置５０−２〜５０−ｎも同様の構成を有している。
【００２６】
送受信部５１は、無線基地局３０、ネットワーク４０を介して集合支援サーバ装置１０とデータを送受信する機能を有する。
【００２７】
位置検出手段５３は、ＧＰＳ(global positioning system)等によって実現されるものであり、自装置の現在位置を検出する機能を有する。
【００２８】
制御手段５２は、ユーザＵ１が入力部５４から入力する支援要求送信指示に従って集合支援サーバ装置１０に対して支援要求を送信する機能や、集合支援サーバ装置１０から送られてくる位置情報取得要求に応答して、位置検出手段５３によって検出された自装置の現在位置を含む位置応答を集合支援サーバ装置１０へ送信する機能や、集合支援サーバ装置１０から送られてきた集合場所情報などを表示部５５に表示する機能などを有する。なお、支援要求には、集合場所に集合する各ユーザ（参加者）の携帯端末装置を特定する携帯端末特定情報および集合場所の種別を示す種別情報が含まれている。
【００２９】
記憶装置２０は、ディスク装置などによって実現されるものであり、集合場所情報記憶部２１と、駅情報記憶部２２と、ルート探索情報記憶部２３と、ルート探索結果記憶部２４とを備えている。
【００３０】
駅情報記憶部２２には、各駅の位置情報（例えば、緯度経度）が登録されている。ルート探索情報記憶部２３には、駅間のルートを探索するために必要になる情報および所要時間を求めるための情報が登録されている。ルート探索結果記憶部２４には、ルート探索結果が登録される。なお、ルート探索結果については、後で詳しく説明する。
【００３１】
集合場所情報記憶部２１には、複数の集合場所それぞれについて、その集合場所を特定する集合場所情報が登録されている。図５は集合場所情報記憶部２１の内容例を示す図である。集合場所情報は、それを一意に識別するための識別子と、集合場所の名称（例えば、店舗名、会議室名など）と、集合場所の位置情報となる最寄り駅と、最寄り駅からの徒歩による所要時間と、住所と、電話番号と、種別（例えば、会議室、カラオケ店など）とが含まれている。
【００３２】
図５の例において、識別子「ＩＤ１」の集合場所情報は、集合場所の名称が「Ａ店」、最寄り駅が「Ａ１駅」、最寄り駅「Ａ１駅」からの徒歩での所要時間が「５分」、住所が「ａａａ」、電話番号が「ＴＥＬａ」、種別が「カラオケ店」であることを示している。また、識別子「ＩＤ２」の集合場所情報は、集合場所の名称が「Ｂ店」、最寄り駅が「Ｂ１駅」と「Ｂ２駅」、最寄り駅「Ｂ１駅」「Ｂ２駅」から徒歩での所要時間がそれぞれ「３分」「８分」、住所が「ｂｂｂ」、電話番号が「ＴＥＬｂ」、種別が「カラオケ店」であることを示している。なお、Ｂ１駅、Ｂ２駅は路線が異なる駅である。
【００３３】
集合支援サーバ装置１０は、送受信手段１１と、制御手段１２とを備えている。
【００３４】
送受信手段１１は、ネットワーク４０、無線基地局３０を介して携帯端末装置５０−１〜５０−ｎとの間でデータをやり取りする機能を有する。
【００３５】
制御手段１２は、位置情報取得手段１２１と、ルート探索手段１２２と、集合場所決定手段１２３とを備えている。
【００３６】
位置情報取得手段１２１は、携帯端末装置５０−ｊ（１≦ｊ≦ｎ）から支援要求が送られてきたとき、それに含まれる携帯端末特定情報によって特定される携帯端末装置に対して位置情報取得要求を送信する機能や、位置情報取得要求に応答して携帯端末装置から送られてきた位置応答を受信し、それに含まれている位置情報をルート探索手段１２２に渡す機能を有する。
【００３７】
ルート探索手段１２２は、集合場所情報記憶部２１に登録されている集合場所情報によって特定される各集合場所の内、その種別が支援要求に含まれている種別情報によって示される種別と一致する集合場所を集合場所候補とし、各集合場所候補それぞれについて、各参加者毎に、その参加者の現在位置から集合場所候補までのルートであって、所要時間が最も短くなる最短ルートを探索する。
【００３８】
集合場所決定手段１２３は、ルート探索手段１２２が求めた各ユーザ毎の各集合場所候補への最短ルートに基づいて、複数の集合場所候補の内、最も所要時間が長い参加者の所要時間が最も短い集合場所候補を集合場所と決定し、決定した集合場所を特定する集合場所情報を各参加者の携帯端末装置に送信する機能を有する。
【００３９】
なお、集合支援サーバ装置１０は、コンピュータにより実現可能であり、コンピュータによって実現する場合は、例えば、次のようにする。コンピュータを、送受信手段１１および制御手段１２として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に、送受信手段１１および制御手段１２を実現する。
【００４０】
次に、本実施例の動作について詳細に説明する。
【００４１】
今、例えば、ユーザＵ１がユーザＵ２〜Ｕｎに対してカラオケ店へ行くことを提案し、この提案を受けたユーザＵ２〜Ｕｎがカラオケ店へ行くことに賛成し、ユーザＵ１にカラオケ店（集合場所）の選択を任せたとする。
【００４２】
ユーザＵ１は、カラオケ店の選択を任されると、自身の携帯端末装置５０−１の入力部５４から支援要求送信指示を入力する。この支援要求送信指示には、集合場所の種別「カラオケ店」を示す種別情報と、カラオケに参加するユーザ（参加者）Ｕ１〜Ｕｎの携帯端末装置５０−１〜５０−ｎを特定する携帯端末特定情報とが含まれている。
【００４３】
制御手段５２は、支援要求送信指示が入力されると、図６のシーケンス図に示すように、集合支援サーバ装置１０に対して支援要求を送信する（ステップＳ６１）。この支援要求には、集合場所の種別が「カラオケ店」であることを示す種別情報と、各ユーザ（参加者）Ｕ１〜Ｕｎの携帯端末装置５０−１〜５０−ｎを特定する携帯端末特定情報とが含まれている。
【００４４】
集合支援サーバ装置１０内の位置情報取得手段１２１は、送受信手段１１を介して支援要求を受信すると、それに含まれている携帯端末特定情報によって特定される各携帯端末装置５０−１〜５０−ｎに対して位置情報取得要求を送信する（ステップＳ６２）。
【００４５】
各携帯端末装置５０−１〜５０−ｎ内の制御手段５２は、位置情報取得要求を受信すると、位置検出手段５３から自装置の現在位置を示す位置情報を取得し、取得した位置情報を含む位置応答を集合支援サーバ装置１０へ送信する（ステップＳ６３）。
【００４６】
位置情報取得手段１２１は、位置情報取得要求を送信した全ての携帯端末装置５０−１〜５０−ｎから位置応答が返信されると、各位置応答に含まれている各ユーザＵ１〜Ｕｎの現在位置を示す位置情報と、支援要求に含まれていた集合場所の種別「カラオケ店」を示す種別情報とをルート探索手段１２２に渡す。
【００４７】
これにより、ルート探索手段１２２は、集合場所情報記憶部２１に登録されている集合場所情報によって特定される集合場所の内、種別が「カラオケ店」となっている集合場所を集合場所候補とし、各集合場所候補それぞれについて、各ユーザＵ１〜Ｕｎ毎に、そのユーザＵ１〜Ｕｎの現在位置から集合場所候補までの最短ルートを探索し（ステップＳ６４）、集合場所決定手段１２３は、ルート探索手段１２２が求めた各ユーザＵ１〜Ｕｎ毎の各集合場所候補への最短ルートに基づいて、複数の集合場所候補の内、最も所要時間が長い参加者の所要時間が最も短い集合場所候補を集合場所と決定し、参加者である各ユーザＵ１〜Ｕｎの携帯端末装置５０−１〜５０−ｎに集合場所情報を送信する（ステップＳ６５、Ｓ６６）。
【００４８】
ここで、ルート探索手段１２２がステップＳ６４で行う処理および集合場所決定手段１２３がステップＳ６５、Ｓ６６で行う処理を、それぞれ図７、図８のフローチャートを参照して詳しく説明する。
【００４９】
ルート探索手段１２２は、位置情報取得手段１２１から各ユーザＵ１〜Ｕｎの現在位置を示す位置情報および集合場所の種別「カラオケ店」を示す種別情報が渡されると、図７のフローチャートに示すように、先ず、参加者となる各ユーザＵ１〜Ｕｎの最寄り駅を求める（ステップＳ７１）。なお、各ユーザＵ１〜Ｕｎの最寄り駅は、各ユーザＵ１〜Ｕｎに現在位置を示す位置情報と、駅情報記憶部２２に登録されている各駅の位置を示す位置情報とに基づいて求める。
【００５０】
次いで、ルート探索手段１２２は、集合場所情報記憶部２１に登録されている集合場所情報の１つに注目し（ステップＳ７２）、それに含まれている種別が、位置情報取得手段１２１から渡された種別情報によって示される種別「カラオケ店」と一致するか否かを調べる（ステップＳ７４）。
【００５１】
そして、一致しない場合（ステップＳ７４がＮＯ）は、次の集合場所情報に注目する（ステップＳ７２）。
【００５２】
これに対して、一致する場合（ステップＳ７４がＹＥＳ）は、注目中の集合場所情報によって特定される集合場所を集合場所候補とし、各ユーザＵ１〜Ｕｎ毎に、そのユーザＵ１〜Ｕｎの現在位置から集合場所候補までの最短ルートを探索する（ステップＳ７５）。
【００５３】
ここで、ステップＳ７５の処理を詳しく説明する。例えば、図５の識別子「ＩＤ１」の集合場所情報のように最寄り駅が１つ（「駅Ａ１」）しか設定されていない集合場所情報に注目している場合は、各ユーザＵ１〜Ｕｎの現在位置から集合場所候補までの最短ルートとして、各ユーザＵ１〜Ｕｎの最寄り駅から集合場所候補の最寄り駅「駅Ａ１」までのルートであって、所要時間が最短となるルートを求める。また、図５の識別子「ＩＤ２」の集合場所情報のように最寄り駅が複数（「駅Ｂ１」「駅Ｂ２」）設定されている集合場所情報に注目している場合には、ユーザＵ１〜Ｕｎの現在位置から集合場所候補までの最短ルートとして、ユーザＵ１〜Ｕｎの最寄り駅から集合場所候補の各最寄り駅「駅Ｂ１」「駅Ｂ２」までのルートの内、所要時間が最短となるルートを探索する。従って、ユーザＵ１〜Ｕｎによって集合場所候補の最寄り駅が異なる場合もある。また、本実施例では、最寄り駅間の所要時間が最短となるルートを最短ルートとするようにしたが、最寄り駅からの徒歩時間も考慮して、参加者の現在位置から集合場所候補までの最短ルートを探索するようにしても良い。
【００５４】
次いで、ルート探索手段１２２は、注目中の集合場所情報と、ルート探索結果との対を集合場所決定手段１２３に渡す（ステップＳ７６）。なお、ルート探索結果には、各ユーザＵ１〜Ｕｎの最寄り駅から集合場所候補の最寄り駅までの最短ルートと、その最短ルートによる所要時間とが含まれる。
【００５５】
その後、ルート探索手段１２２は、未注目の集合場所情報がなくなるまで（ステップＳ７３がＹＥＳとなるまで）、前述した処理と同様の処理を繰り返し行い、未注目の集合場所情報がなくなると、集合場所決定手段１２３に対して完了通知を渡す（ステップＳ７７）。
【００５６】
一方、集合場所決定手段１２３は、図８のフローチャートに示すように、ルート探索手段１２２からのデータを受信すると（ステップＳ８１）、受信データが、集合場所情報とルート探索結果との対なのか、それとも完了通知なのかを判定する（ステップＳ８２）。
【００５７】
そして、集合場所情報と最寄り駅毎のルート探索結果との対であると判定した場合（ステップＳ８２がＹＥＳ）は、各ルート探索結果に含まれている各最短ルートの所要時間の中から、最も長い所要時間Ｔ１を求める（ステップＳ８３）。
【００５８】
その後、ステップＳ８３で求めた最も長い所要時間Ｔ１と、ルート探索結果記憶部２４に格納されている最も長い所要時間Ｔ２とを比較する（ステップＳ８４）。
【００５９】
そして、Ｔ１＞Ｔ２の場合（ステップＳ８４がＹＥＳ）は、ステップＳ８１の処理に戻る。これに対して、Ｔ１≦Ｔ２の場合（ステップＳ８４がＮＯ）は、今回渡された集合場所情報とルート探索結果との対をルート探索結果記憶部２４に上書きすることにより、ルート探索結果記憶部２４の内容を更新し（ステップＳ８５）、その後、ステップＳ８１の処理に戻る。なお、ルート探索結果記憶部２４がクリアされている状態（ルート探索結果と集合場所情報との対が登録されていない状態）では、ステップＳ８４の判断結果がＮＯとなるものとする。
【００６０】
集合場所決定手段１２３は、ルート探索手段１２２からルート探索結果と集合場所情報との対を受信する毎に（ステップＳ８２がＹＥＳとなる毎に）、前述した処理と同様の処理を行う。
【００６１】
その後、集合場所情報記憶部２１に登録されている全ての集合場所情報に対する処理を完了したルート探索手段１２２から完了通知が送られてくると（ステップＳ８２がＮＯ）、集合場所決定手段１２３はルート探索結果記憶部２４に登録されている集合場所情報によって示される集合場所候補を集合場所とすることを決定し、上記集合場所情報を各ユーザＵ１〜Ｕｎの携帯端末装置５０−１〜５０−ｎに送信する（図８のステップＳ８６）。なお、ステップＳ８６においては、各ユーザＵ１〜Ｕｎの携帯端末装置５０−１〜５０−ｎに集合場所情報を送信するようにしたが、それに加えて、ルート探索結果記憶部２４に登録されている、そのユーザの最寄り駅から集合場所の最寄り駅までのルートおよび所要時間も送信するようにしても良い。そして、最後に、集合場所決定手段１２３は、ルート探索結果記憶部２４をクリアする（ステップＳ８７）。以上が、図６のステップＳ６４〜Ｓ６６で行われる処理の詳細である。
【００６２】
各ユーザＵ１〜Ｕｎの携帯端末装置５０−１〜５０−ｎ内の制御手段５２は、集合支援サーバ装置１０から集合場所情報が送られてくると、それを表示部５５に表示する（ステップＳ６７）。集合場所情報に加えて、ルートおよび所要時間が送られてきた場合は、それらも表示部５５に表示する。
【００６３】
なお、本実施例では、位置情報取得手段１２１、ルート探索手段１２２、および集合場所決定手段１２３を１台の集合支援サーバ装置内に設けるようにしたが、各手段１２１〜１２３を異なるサーバ装置内に設けるようにしても良い。
【００６４】
〔第２の実施例の効果〕
本実施例によれば、最寄り駅が複数存在する集合場所候補が存在する場合であっても、参加者全員が集合するまでの時間が最短となる集合場所を決定することが可能になる。その理由は、ルート探索手段１２２が、集合場所候補に複数の最寄り駅が存在する場合は、参加者の現在位置から集合場所候補までの最短ルートとして、参加者の最寄り駅から集合場所候補の各最寄り駅までのルートの内、所要時間が最短となるルートを探索するようにしているからである。
【００６５】
また、本実施例によれば、集合場所候補の最寄り駅からの所要時間も考慮した上で、参加者全員が最短時間で集合することができる集合場所を決定することが可能になる。その理由は、ルート探索手段１２２が、徒歩時間を含めて参加者の現在位置から集合場所候補までの所要時間が最短となるルートを探索するようにしているからである。
【００６６】
〔本発明の第３の実施例〕
次に、本発明の第３の実施例にかかる集合支援システムについて説明する。本実施例は、集合場所情報記憶部に登録されている集合場所情報によって特定される集合場所の中から、各参加者の現在位置に基づいて、集合場所候補とする集合場所を所定数選択することを特徴とする。図９は本実施例にかかる集合支援システムの構成例を示すブロック図であり、図３に示した集合支援システムの相違点は、集合支援サーバ装置１０の代わりに集合支援サーバ装置１０ａを備えている点である。
【００６７】
集合支援サーバ装置１０ａは、制御手段１２の代わりに制御手段１２ａを備えている。この制御手段１２ａは、ルート探索手段１２２の代わりにルート探索手段１２２ａを備えている点、および集合場所候補選択手段１２４が追加されている点が制御手段１２と相違している。
【００６８】
集合場所候補選択手段１２４は、集合場所情報記憶部２１に登録されている集合場所情報によって特定される各集合場所の中から、参加者となるユーザの現在位置と集合場所の種別とに基づいて、集合場所候補とする集合場所を複数選択する機能を有する。
【００６９】
ルート探索手段１２２ａは、集合場所候補選択手段１２４で選択された各集合場所候補を処理対象にする点がルート探索手段１２２と相違している。
【００７０】
なお、集合支援サーバ装置１０ａも集合支援サーバ装置１０と同様に、コンピュータによって実現することができる。
【００７１】
次に、本実施例の動作について説明する。なお、集合場所候補選択手段１２４およびルート探索手段１２２ａ以外の動作は、図３に示した実施例と同様であるので、ここでは、集合場所候補選択手段１２４およびルート探索手段１２２ａの動作を中心に説明する。
【００７２】
今、例えば、ユーザＵ１が自身の携帯端末装置５０−１から集合支援サーバ装置１０ａに対して、集合場所の種別情報として「カラオケ店」を含み、端末特定情報としてユーザＵ１〜Ｕｎの携帯端末装置５０−１〜５０−ｎを特定する情報を含んだ支援要求を送信したとする。これにより、集合支援サーバ装置１０ａ内の位置情報取得手段１２１は、前述したようにして、各ユーザＵ１〜Ｕｎの現在位置を示す現在位置情報を取得する。
【００７３】
集合場所候補選択手段１２４は、位置情報取得手段１２１が各ユーザＵ１〜Ｕｎの現在位置を示す位置情報を取得すると、各ユーザＵ１〜Ｕｎの現在位置からの距離の最大値が最小になる基準ポイントを探索する（図１０のステップＳ１０１）。なお、基準ポイントの探索方法はこれに限られるものではなく、各ユーザＵ１〜Ｕｎの現在位置からの所要時間の最大値が最小になる点を基準ポイントとする方法や、各ユーザＵ１〜Ｕｎの現在位置からの移動コスト（料金）の最大値が最小になる点を基準ポイントとする方法を採用することもできる。
【００７４】
次いで、集合場所候補選択手段１２４は、集合場所情報記憶部２１にカラオケ店（ユーザＵ１によって指示された集合場所の種別）の最寄り駅として登録されている駅の内、基準ポイントに近い方から所定数（例えば、３個）の駅を選択する（ステップＳ１０２）。ここで、カラオケ店の最寄り駅として登録されている駅とは、図５に示す識別子「ＩＤ１」「ＩＤ２」の集合場所情報のように、種別が「カラオケ店」となっている集合場所情報に設定されている「Ａ１駅」「Ｂ１駅」「Ｂ２駅」などである。
【００７５】
その後、集合場所候補選択手段１２４は、集合場所情報記憶部２１に登録されている集合場所情報の中から、ステップＳ１０２で選択した駅を最寄り駅として含んでいる集合場所情報を検索することにより、集合場所情報によって特定される集合場所の中から、集合場所候補を選択する（ステップＳ１０３）。そして、最後に、集合場所候補選択手段１２４は、ステップＳ１０３で検索した各集合場所情報の識別子をルート探索手段１２２ａに渡す（ステップＳ１０４）。
【００７６】
ルート探索手段１２２ａは、集合場所候補選択手段１２４から集合場所候補とする集合場所を特定する集合場所情報の識別子が渡されると、図７のフローチャートに示す処理を行う。但し、本実施例では、ステップＳ７２、Ｓ７３で行う処理が、前述した第２の実施例とは異なっている。
【００７７】
本実施例では、ステップＳ７２において、集合場所候補選択手段１２４から渡された識別子によって示される集合場所情報の内の１つに注目する処理を行う。また、ステップＳ７３では、集合場所候補選択手段１２４から渡された識別子によって示される集合場所情報を全て注目したか否かを判定する。
【００７８】
〔第３の実施例の効果〕
本実施例では、集合場所情報記憶部２１に集合場所情報が登録されている集合場所の中から、集合場所候補とする集合場所を選択する集合場所候補選択手段１２４を備えており、ルート探索を行う集合場所候補の数を少なくすることができるので、集合場所を決定するまでに要する時間を短いものにすることができる。
【００７９】
〔本発明の第４の実施例〕
次に、本発明の第４の実施例にかかる集合支援システムについて説明する。図１１は、本実施例の集合支援システムの構成例を示すブロック図であり、図９に示した第３の実施例の集合支援システムとの相違点は、集合支援サーバ装置１０の代わりに、メインサーバ装置６１、メールサーバ装置６２、ルート探索サーバ装置６３を含むサーバ装置群を備えている点である。
【００８０】
メインサーバ装置６１は、次のような機能を有する。
【００８１】
・携帯端末装置５０−ｊ（１≦ｊ≦ｎ）から、集合場所の種別を示す種別情報と参加者となるユーザＵ１〜Ｕｎの携帯端末装置５０−１〜５０−ｎを特定する携帯端末特定情報（本実施例ではメールアドレスとする）とを含む支援要求が送られてきたとき、メールサーバ装置６２に対して、上記携帯端末装置５０−１〜５０−ｎのメールアドレスを含む位置情報取得要求を送信する機能。
・位置情報取得要求に応答してメールサーバ装置６２から各ユーザＵ１〜Ｕｎの現在位置を示す位置情報が送られてきたとき、ルート探索サーバ装置６３に対して、各ユーザＵ１〜Ｕｎの現在位置を示す位置情報と集合場所の種別を示す種別情報とを含んだルート探索要求を送信する機能。
・ルート探索サーバ装置６３から返却されたルート探索結果に基づいて、集合場所を決定する機能（図３の集合場所決定手段１２３が備えている機能と同様の機能）。
・決定した集合場所を示す集合場所情報と、各ユーザＵ１〜Ｕｎのメールアドレスとを含んだ集合場所情報送信要求をメールサーバ装置６２に対して送信する機能。
【００８２】
メールサーバ装置６２は、次のような機能を有する。
【００８３】
・メインサーバ装置６１から参加者となるユーザＵ１〜Ｕｎのメールアドレスを含んだ位置情報取得要求が送られてきたとき、上記メールアドレスに基づいて各ユーザＵ１〜Ｕｎの携帯端末装置５０−１〜５０−ｎに対して、現在位置を要求する電子メールを送信する機能。
・各ユーザＵ１〜Ｕｎの携帯端末装置５０−１〜５０−ｎから、その現在位置を含んだ電子メールが送られてきたとき、各ユーザＵ１〜Ｕｎの現在位置を示す位置情報をメインサーバ装置６１に送信する機能（図３の位置情報取得手段１２１と同様の機能）。
・メインサーバ装置６１から集合場所情報送信要求が送られてきたとき、それに含まれている集合場所情報を記述した電子メールを、それに含まれているメールアドレス宛に送信する機能。
【００８４】
ルート探索サーバ装置６３は、次のような機能を有する。なお、ルート探索サーバ装置６３は、その内部に図３に示す記憶装置２０を備えている。
【００８５】
・メインサーバ装置６１からユーザＵ１〜Ｕｎの現在位置と集合場所候補の種別情報とを含んだルート探索要求が送られてきたとき、記憶装置２０内の集合場所情報記憶部２１に登録されている集合場所情報によって特定される各集合場所の内、その種別が支援要求に含まれている種別情報によって示される種別と一致する集合場所を集合場所候補とし、各集合場所候補それぞれについて、各ユーザＵ１〜Ｕｎ毎に、そのユーザＵ１〜Ｕｎの現在位置から集合場所候補までのルートを探索し、探索したルートによる所要時間を求める機能。
・各集合場所候補についてのルート探索結果と、その集合場所候補を示す集合場所情報との対をメインサーバ装置６１へ返却する機能。
【００８６】
次に、本実施例の動作について説明する。
【００８７】
今、例えば、ユーザＵ１がユーザＵ２〜Ｕｎに対してカラオケ店へ行くことを提案し、この提案を受けたユーザＵ２〜Ｕｎがカラオケ店へ行くことに賛成し、ユーザＵ１にカラオケ店（集合場所）の選択を任せたとする。
【００８８】
ユーザＵ１は、カラオケ店の選択を任されると、自身の携帯端末装置５０−１の入力部５４から支援要求送信指示を入力する。この支援要求送信指示には、集合場所の種別「カラオケ店」を示す種別情報と、カラオケに参加するユーザ（参加者）Ｕ１〜Ｕｎのメールアドレスとが含まれている。
【００８９】
メインサーバ装置６１は、携帯端末装置５０−１から送られてきた支援要求を受信すると、図１２のフローチャートに示すように、メールサーバ装置６２に対して、各ユーザＵ１〜Ｕｎのメールアドレスを含んだ位置情報取得要求を送信する（ステップＳ１２１）。
【００９０】
これにより、メールサーバ装置６２は、各ユーザＵ１〜Ｕｎのメールアドレス宛に、現在位置を要求する電子メールを送信する。各ユーザＵ１〜Ｕｎは、上記電子メールを受信すると、自身の携帯端末装置５０−１〜５０−ｎから現在位置を含んだ電子メールをメールサーバ装置６２に送信する。メールサーバ装置６２は、各ユーザＵ１〜Ｕｎから現在位置を示す位置情報を含んだ電子メールが送られてくると、各ユーザＵ１〜Ｕｎの現在位置を示す位置情報をメインサーバ装置６１に送信する。
【００９１】
メインサーバ装置６１は、各ユーザＵ１〜Ｕｎの現在位置を示す位置情報がメールサーバ装置６２から送られてくると（ステップＳ１２２）、各ユーザＵ１〜Ｕｎの現在位置を示す位置情報と集合場所の種別を示す種別情報とを含んだルート探索要求をルート探索サーバ装置６３へ送信する（ステップＳ１２３）。
【００９２】
ルート探索サーバ装置６３は、メインサーバ装置６１からルート探索要求が送られてくると、集合場所情報記憶部２１に登録されている集合場所情報によって示される集合場所の内、種別が「カラオケ店」となっている集合場所を集合場所候補とし、各集合場所候補それぞれについて、各ユーザＵ１〜Ｕｎ毎に、そのユーザＵ１〜Ｕｎの現在位置から集合場所候補までのルートを探索し、探索したルートによる所要時間を求める。その後、ルート探索サーバ装置６３は、各集合場所候補についてのルート探索結果（最短ルートとその所要時間）と、その集合場所候補を示す集合場所情報との対をメインサーバ装置６１へ送信する。
【００９３】
メインサーバ装置６１は、各集合場所候補についてのルート探索結果と、その集合場所候補を示す集合場所情報との対を受信すると（ステップＳ１２４）、各ルート探索結果に含まれている各ユーザＵ１〜Ｕｎの所要時間に基づいて、最も所要時間が長いユーザの所要時間が最も短い集合場所候補を集合場所にすることを決定し（ステップＳ１２５）、その集合場所を示す集合場所情報と各ユーザＵ１〜Ｕｎのメールアドレスとを含んだ集合場所情報送信要求をメールサーバ装置６２に対して送信する（ステップＳ１２６）。
【００９４】
集合場所情報送信要求を受信したメールサーバ装置６２は、それに含まれている集合場所情報を記述した電子メールを、それに含まれているメールアドレス宛へ送信する。各ユーザＵ１〜Ｕｎは、メールサーバ装置６２から送られてきた電子メールを受信することにより、集合場所を認識することができる。
【００９５】
なお、上述した実施例では説明しなかったが、集合場所がカラオケ店などのように、予約可能な場所である場合には、予約サーバ装置と連携して、集合場所と決定した店舗に予約を入れるようにしても良い。
【００９６】
〔第４の実施例の効果〕
本実施例は、複数台のサーバ装置により処理を行っているので、負荷の集中によりシステムに不都合が発生する危険性を極めて少なくすることができる。
【産業上の利用可能性】
【００９７】
本発明は、各事業所の担当者による会議を開くことが必要になった場合や、友人同士でカラオケ店に行くことになった場合のように、複数の集合場所候補（例えば、各事業所の会議室や、カラオケ店など）の中から集合場所を選択する場合に利用すると好適である。
【図面の簡単な説明】
【００９８】
【図１】本発明の第１の実施例にかかる集合支援装置１の構成例を示すブロック図である。
【図２】集合支援装置１の動作を説明するための図である。
【図３】本発明の第２の実施例にかかる集合支援システムの構成例を示すブロック図である。
【図４】携帯端末装置５０−１の構成例を示すブロック図である。
【図５】集合場所情報記憶部２１の内容例を示す図である。
【図６】本実施例の動作の概要を示すシーケンス図である。
【図７】ルート探索手段１２２の処理例を示すフローチャートである。
【図８】集合場所決定手段１２３の処理例を示すフローチャートである。
【図９】本発明の第３の実施例にかかる集合支援システムの構成例を示すブロック図である。
【図１０】集合場所候補選択手段１２４の処理例を示すフローチャートである。
【図１１】本発明の第４の実施例にかかる集合支援システムの構成例を示すブロック図である。
【図１２】メインサーバ装置６１の処理例を示すフローチャートである。
【符号の説明】
【００９９】
１…集合支援装置
２…ルート探索手段
３…集合場所決定手段
１０、１０ａ…集合支援サーバ装置
１１…送受信手段
１２、１２ａ…制御手段
１２１…位置情報取得手段
１２２、１２２ａ…ルート探索手段
１２３…集合場所決定手段
１２４…集合場所候補選択手段
２０…記憶装置
２１…集合場所情報記憶部
２２…駅情報記憶部
２３…ルート探索情報記憶部
２４…ルート探索結果記憶部
３０…無線基地局
４０…ネットワーク
５０−１〜５０−ｎ…携帯端末装置
５１…送受信手段
５２…制御手段
５３…位置検出手段
５４…入力部
５５…表示部
Ｕ１〜Ｕｎ…ユーザ
【図１】
2009097998.tif 000003
【図２】
2009097998.tif 000004
【図３】
2009097998.tif 000005
【図４】
2009097998.tif 000006
【図５】
2009097998.tif 000007
【図６】
2009097998.tif 000008
【図７】
2009097998.tif 000009
【図８】
2009097998.tif 000010
【図９】
2009097998.tif 000011
【図１０】
2009097998.tif 000012
【図１１】
2009097998.tif 000013
【図１２】
2009097998.tif 000014